(57)【要約】【課題】  納品搬送時に複数の商品を収納し、陳列時に複数の商品を陳列できると共に、陳列している商品の数が減少したときにも、商品の整頓ができるようにした商品収納陳列箱を提供する。【解決手段】  内箱１１には、内箱分離用の切断線２５が設けられる。外箱１２は切欠３５を有し、外箱分離用の切断線３８が設けられる。陳列時には、外箱１２から内箱１１を引き出し、外箱１２を外箱分離用の切断線３８で切断して外箱片１２ａ、１２ｂに分離し、外箱片１２ａを立てて内箱１１の端に対向して配置し、切欠３５内に内箱１１の端を挿入し、内箱１１に商品１３を収納して陳列する。陳列している商品１３の数が減少したら、内箱１１を内箱分離用の切断線で切断して内箱片１１ａ、１１ｂに分離し、分離した内箱片１１ａを切欠３５に挿入し、内箱片１１ａに残りの商品１３を収納して陳列する。【選択図】        図５
0003124844.tif 000002
【実用新案登録請求の範囲】
【請求項１】
底面と該底面の周縁を囲む側面とを有し、長手方向に直角に内箱分離用の切断線が設けられた内箱と、
断面が矩形状であり、長手方向に直角に外箱分離用の切断線が設けられると共に、その前側面は壁面を形成し、その１つの側面に、前記内箱の端面挿入用の切欠を有する外箱とからなり、
納品搬送時には、前記内箱に複数の商品を収納し、前記複数の商品の収納された内箱を前記外箱内に挿入し、
陳列時には、前記外箱から前記内箱を引き出し、前記外箱を前記外箱分離用の切断線で切断して複数の外箱片に分離し、分離した外箱片のうち前記切欠を有する外箱片を立てて前記内箱の端に対向して配置し、前記切欠内に前記内箱の端を挿入し、前記内箱に複数の商品を収納して陳列し、
陳列している商品の数が減少したら、前記内箱を前記内箱分離用の切断線で切断して複数の内箱片に分離し、分離した内箱片の１つを切断線の側から前記切欠内に挿入し、前記分離した内箱片に残りの商品を収納して陳列する
ようにしたことを特徴とする商品収納陳列箱。
【請求項２】
前記外箱片の前記切欠の縁から前記外箱分離用の切断線の間に、前記商品に関する印字を行うための印字部を設けるようにしたことを特徴とする請求項１に記載の商品収納陳列箱。
【請求項３】
前記内箱分離用の切断線は、前記内箱を長手方向にＮ分割（Ｎは整数）する位置に（Ｎ−１）本設けられることを特徴とする請求項１に記載の商品収納陳列箱。
【請求項４】
底面と該底面の周縁を囲む側面とを有し、長手方向に直角に内箱分離用の切断線が設けられた内箱と、
断面が矩形状であり、長手方向に直角に外箱分離用の切断線が設けられると共に、その前側面は開口され、その１つの側面に、前記内箱の端面挿入用の切欠を有する外箱とからなり、
納品搬送時には、前記内箱に複数の商品を収納し、前記複数の商品の収納された内箱を前記外箱内に挿入し、
陳列時には、前記外箱から前記内箱を引き出し、前記外箱を前記外箱分離用の切断線で切断して複数の外箱片に分離し、分離した外箱片のうち前記切欠を有する外箱片を立てて前記内箱の端に対向して配置し、前記切欠内に前記内箱の端を挿入し、前記内箱に複数の商品を収納して陳列し、
陳列している商品の数が減少したら、前記内箱を前記内箱分離用の切断線で切断して複数の内箱片に分離し、分離した内箱片の１つを切断線の側から前記切欠内に挿入し、前記分離した内箱片に残りの商品を収納して陳列する
ようにしたことを特徴とする商品収納陳列箱。
【考案の詳細な説明】
【技術分野】
【０００１】
本考案は、小物の商品を収納して搬送し、その商品を店頭で陳列して販売するのに用いられる商品収納陳列箱に関する。
【背景技術】
【０００２】
キーホルダーや携帯電話ストラップ、ガムやキャンディ等の小物の商品では、人気のキャラクタを付けて、他の商品との差別化を図って、商品の売り上げの向上を図ることが行われている。しかしながら、このような小物の商品は、陳列を工夫しないと、他の商品に埋もれてしまい、他の商品との差別化が図れない。
【０００３】
そこで、このような小物の商品を販売する場合には、箱の中に多数の商品をまとめて収納して陳列しておき、その商品のキャラクタ等を、商品が陳列される箱に印字して表示することが行われている。このようにすると、陳列箱の印字が消費者の注目を引きつけ、その商品の差別化を図れ、販売力の増強が図れる。
【０００４】
また、特許文献１には、物品を収納保護すると共に、蓋を開いた状態で内容物を店頭に展示することができる陳列箱が開示されている。特許文献１に示される陳列箱では、箱に商品を収納した状態で工場や問屋から小売店に商品を輸送し、小売店で、その箱を使って、その商品の内容物を展示しながら陳列して販売することがきる。これにより、その商品の差別化を図り、販売力の増強を図ることができる。
【特許文献１】実公昭６１−２９６１４号公報
【考案の開示】
【考案が解決しようとする課題】
【０００５】
ところが、小物の商品を陳列箱の中にまとめて収納して陳列して販売する場合、商品が売れていき、陳列箱の中の商品が少なくなっていくと、陳列箱の中での商品の整頓ができなくなり、商品の管理が難しくなる。特に、陳列する商品が球状や卵形のものの場合、陳列箱の中の商品が少なくなると、商品が陳列箱の中で転がってしまう。また、陳列箱の中の商品が少なくなっていくと、消費者に売れ残りの商品を提供しているような気分を与えてしまい、消費者の購買意欲を損ねてしまう。
【０００６】
本考案は、上述の課題を鑑み、搬送時に複数の商品を収納し、陳列時に複数の商品を陳列できると共に、陳列している商品の数が減少したときにも、商品の整頓ができ、消費者の購買意欲を喚起できるような商品収納陳列箱を提供することを目的とする。
【課題を解決するための手段】
【０００７】
上述の課題を解決するために、本考案の商品陳列箱は、底面と底面の周縁を囲む側面とを有し、長手方向に直角に内箱分離用の切断線が設けられた内箱と、断面が矩形状であり、長手方向に直角に外箱分離用の切断線が設けられると共に、その前側面は壁面を形成し、その１つの側面に、内箱の端面挿入用の切欠を有する外箱とからなり、納品搬送時には、内箱に複数の商品を収納し、複数の商品の収納された内箱を外箱内に挿入し、陳列時には、外箱から内箱を引き出し、外箱を外箱分離用の切断線で切断して複数の外箱片に分離し、分離した外箱片のうち切欠を有する外箱片を立てて内箱の端に対向して配置し、切欠内に内箱の端を挿入し、内箱に複数の商品を収納して陳列し、陳列している商品の数が減少したら、内箱を内箱分離用の切断線で切断して複数の内箱片に分離し、分離した内箱片の１つを切断線の側から切欠内に挿入し、分離した内箱片に残りの商品を収納して陳列するようにしたことを特徴とする。
【０００８】
好ましくは、外箱片の切欠の縁から外箱分離用の切断線の間に、商品に関する印字を行うための印字部を設けるようにしたことを特徴とする。
【０００９】
好ましくは、内箱分離用の切断線は、内箱を長手方向にＮ分割（Ｎは整数）した位置に（Ｎ−１）本設けられることを特徴とする。
【００１０】
本発明は、底面と該底面の周縁を囲む側面とを有し、長手方向に直角に内箱分離用の切断線が設けられた内箱と、断面が矩形状であり、長手方向に直角に外箱分離用の切断線が設けられると共に、その前側面は開口され、その１つの側面に、内箱の端面挿入用の切欠を有する外箱とからなり、納品搬送時には、内箱に複数の商品を収納し、複数の商品の収納された内箱を外箱内に挿入し、陳列時には、外箱から内箱を引き出し、外箱を外箱分離用の切断線で切断して複数の外箱片に分離し、分離した外箱片のうち切欠を有する外箱片を立てて内箱の端に対向して配置し、切欠内に内箱の端を挿入し、内箱に複数の商品を収納して陳列し、陳列している商品の数が減少したら、内箱を内箱分離用の切断線で切断して複数の内箱片に分離し、分離した内箱片の１つを切断線の側から切欠内に挿入し、分離した内箱片に残りの商品を収納して陳列するようにしたことを特徴とする商品収納陳列箱である。
【考案の効果】
【００１１】
本考案によれば、底面と底面の周縁を囲む側面とを有し、長手方向に直角に内箱分離用の切断線が設けられた内箱と、断面が矩形状であり、長手方向に直角に外箱分離用の切断線が設けられると共に、その前側面は壁面を形成し、その１つの側面に、内箱の端面挿入用の切欠形成用の切断線を有する外箱とからなり、納品搬送時には、内箱に複数の商品を収納し、複数の商品の収納された内箱を外箱内に挿入し、陳列時には、外箱から内箱を引き出し、外箱を外箱分離用の切断線で切断して複数の外箱片に分離し、分離した外箱片のうち切欠を有する外箱片を立てて内箱の端に対向して配置し、切欠内に内箱の端を挿入し、内箱に複数の商品を収納して陳列し、陳列している商品の数が減少したら、内箱を内箱分離用の切断線で切断して複数の内箱片に分離し、分離した内箱片の１つを切断線の側から切欠内に挿入し、分離した内箱片に残りの商品を収納して陳列するようにしている。このため、商品の数が減少したときには、商品を陳列している内箱の底面の面積を小さくでき、内箱の空きスペースを少なくし、商品の管理をし易くできる。また、分離した内箱片をその切断された側から外箱の切欠内に挿入すると、外箱の壁面が内箱片の後側の側面の代わりとなる。よって、内箱片の周囲は、前後左右に壁面で仕切られ、整頓した状態で商品を陳列できる。
【００１２】
また、本考案によれば、外箱片の切欠の縁から外箱分離用の切断線の間に、商品に関する印字を行うための印字部が設けられる。このため、商品陳列時には、印字部が消費者から見やすい位置となり、消費者の興味を惹きつけ、購買意欲をかきたてることができる。
【００１３】
また、本考案によれば、内箱分離用の切断線は、内箱を長手方向にＮ分割（Ｎは整数）した位置に（Ｎ−１）本設けられる。これにより、商品の減少量に応じて、内箱の面積を段階的に調整することができる。
【００１４】
また、本発明によれば、底面と該底面の周縁を囲む側面とを有し、長手方向に直角に内箱分離用の切断線が設けられた内箱と、断面が矩形状であり、長手方向に直角に外箱分離用の切断線が設けられると共に、その前側面は開口され、その１つの側面に、内箱の端面挿入用の切欠を有する外箱とからなり、納品搬送時には、内箱に複数の商品を収納し、複数の商品の収納された内箱を外箱内に挿入し、陳列時には、外箱から内箱を引き出し、外箱を外箱分離用の切断線で切断して複数の外箱片に分離し、分離した外箱片のうち切欠を有する外箱片を立てて内箱の端に対向して配置し、切欠内に内箱の端を挿入し、内箱に複数の商品を収納して陳列し、陳列している商品の数が減少したら、内箱を内箱分離用の切断線で切断して複数の内箱片に分離し、分離した内箱片の１つを切断線の側から切欠内に挿入し、分離した内箱片に残りの商品を収納して陳列するようにしている。このため、商品の数が減少したときには、商品を陳列している内箱の底面の面積を小さくでき、内箱の空きスペースを少なくし、商品の管理をし易くできる。また、分離した内箱片をその切断された側から外箱の切欠内に挿入すると、外箱の壁面が内箱片の後側の側面の代わりとなる。よって、内箱片の周囲は、前後左右に壁面で仕切られ、整頓した状態で商品を陳列できる。また、陳列時に切欠を形成する必要がないと共に、搬送時に、切欠を介して収納されている商品を視認することができる。
【考案を実施するための最良の形態】
【００１５】
第１実施形態．
以下、本考案の実施の形態について図面を参照しながら説明する。図１は、本考案の第１実施形態の商品収納陳列箱１を示すものである。図１（Ａ）は商品収納陳列箱１の裏斜めから見た図である。図１（Ｂ）は商品収納陳列箱１の表斜めから見た図である。
【００１６】
図１（Ａ）、（Ｂ）において、１１は内箱、１２は外箱である。内箱１１及び外箱１２は、例えば厚紙から加工されている。
【００１７】
内箱１１は、長方形の底面２２と、底面２２の周縁を囲む左右の側面２３ａ及び２３ｂと、前後の側面２４ａ、２４ｂとからなる。内箱１１の長手方向の中間には、内箱１１の長手方向を、例えば、２分割するように、長手方向に直角に、内箱分離用の切断線２５が形成されている。内箱分離用の切断線２５にはミシン目加工が施されている。このミシン目は、図では１本線で表示されているが、切断しやすいように２本線のミシン目加工を行っても良い。
【００１８】
外箱１２は、内箱１１の形状に対応した断面が矩形状の箱体である。外箱１２は、上下の側面３１ａ及び３１ｂと、左右の側面３２ａ及び３２ｂとを有している。外箱１２の一方の端面は、前側面３３により壁面が形成されている。外箱１２の他方の端面は、開口３４が設けられ、内箱１１が挿入可能に形成されている。
【００１９】
また、外箱１２の上面３１ａの前側には、切欠３５が形成されている。また、外箱１２の長手方向の中間には、長手方向に直角に、外箱分離用の切断線３８が形成されている。切断線３８にはミシン目加工が施されている。切欠３５の縁と切断線３８との間には、商品の名前やキャラクタ等の印字するための印字部３７が設けられる。
【００２０】
印字部３７は、後に説明するように、商品陳列時に、消費者から目立つ位置になり、商品陳列時に、商品を差別化し、宣伝するのに用いることができる。また、外箱１２の外側には、印字部３７に限らず、全ての部分に商品の名前やキャラクタ等の印字ができる。
【００２１】
図２は、本考案の第１の実施形態の商品収納陳列箱１を用いて、商品を納品搬送する場合の状態を示すものである。
【００２２】
商品を納品搬送するときには、図２に示すように、内箱１１の中に複数の商品１３が収納される。内箱１１の周囲は、左右の側面２３ａ及び２３ｂと、前後の側面２４ａ及び２４ｂにより囲まれているため、内箱１１の中に複数の商品１３を納めることができる。商品出荷時には、内箱１１の中が全て埋まるように、複数の商品１３が詰め込まれる。そして、複数の商品１３が収納された内箱１１が開口３４から外箱１２内に矢印Aの方向に挿入される。
【００２３】
図３は、本考案の第１の実施形態の商品収納陳列箱１の商品陳列時の組み立て方法を示すものである。
【００２４】
商品を陳列する場合には、まず、図３（Ａ）の矢印Bに示すように、外箱１２から、複数の商品１３が収納されている内箱１１が引き出される。
【００２５】
次に、図３（Ｂ）に示すように、外箱１２が外箱分離用の切断線３８で２つの外箱片１２ａと１２ｂとに分離される。２つの外箱片１２ａと１２ｂのうち、一方の外箱片１２ａの表の面には、切欠３５が設けられている。
【００２６】
外箱片１２が２つの外箱片１２ａと１２ｂとに分離されたら、図３（Ｃ）に示すように、切欠３５が設けられた外箱片１２ａが、前側面３３が下に来るように立てられ、切欠３５と内箱１１の後側面２４ｂとが対向するように配置される。そして、商品１３が収納された内箱１１の後側面２４ｂが外箱片１２ａの切欠３５内に矢印Cのように挿入される。これにより、図３（Ｄ）に示すように、内箱１１内に複数の商品１３が収納されて陳列される。
【００２７】
商品陳列時には、図４（Ａ）に示すように、内箱１１がトレーとなり、内箱１１内に複数の商品１３が収納して陳列される。内箱１１の周囲は、図１に示したように、左右の側面２３ａ及び２３ｂと、前後の側面２４ａ及び２４ｂにより囲まれているため、内箱１１の中に複数の商品１３は、左右の側面２３ａ及び２３ｂと前後の側面２４ａ及び２４ｂにより仕切られ、整頓した状態で商品１３を陳列できる。
【００２８】
また、本考案の第１実施形態の商品収納陳列箱１では、図１に示したように、外箱片１２の切欠３５の縁と切断線３８との間に、商品の名前やキャラクタ等の印字するための印字部３７が設けられている。商品陳列時には、図３（Ｃ）に示したように、外箱片１２ａが前側面３３が下に来るように立てられ、内箱１１に対向して配置される。このようにすると、図４（Ａ）及び図４（Ｂ）に示すように、外箱片１２ａの印字部３７が消費者から見やすい位置に来る。これにより、消費者の興味を惹きつけ、購買意欲をかきたてることができる。
【００２９】
本考案では、図４（Ａ）に示すような商品陳列をしているので、商品１３を販売していくと、商品が売れる毎に、内箱１１内の商品１３の数が減少していく。商品１３の数が減少していくと、図４（Ｂ）に示すように、内箱１１の中で空きスペースが生じ、商品１３の管理がし難くなる。特に、商品１３が球状や卵形のものの場合、内箱１１の中で空きスペースが生じると、商品１３が内箱１１の中で転がってしまう。また、商品１３が減少し、内箱１１の中に大きな空きスペースが生じると、消費者に売れ残りの商品を提供しているような気分を与えてしまい、消費者の購買意欲を損ねてしまう。
【００３０】
そこで、内箱１１内の商品の数が半分以下に減少したときには、図５（Ａ）に示すように、内箱１１が内箱分離用の切断線２５で２つの内箱片１１ａ及び内箱片１１ｂに分離される。
【００３１】
内箱１１が２つの内箱片１１ａ及び内箱片１１ｂに分離されたら、図５（Ｂ）に示すように、残りの商品１３が内箱片１１ａに移され、図５（Ｃ）に示すように、内箱片１１ａがその切断された側を外箱１２の切欠３５内に挿入する。
【００３２】
前述したように、内箱分離用の切断線２５は、内箱１１の長手方向の中間に設けられている。このため、内箱１１を内箱分離用の切断線２５で２つに分離し、一方の内箱片１１ａのみに商品１３を陳列した場合、内箱１１の底面の面積が１／２になる。よって、商品１３の数が１／２に減少したときには、内箱１１を内箱分離用の切断線２５で２つに分離し、一方の内箱片１１ａのみに商品１３を陳列すれば、内箱１１に空きスペースがなくなり、商品の管理がし易くなる。
【００３３】
ところで、分離前の内箱１１は、図１に示したように、その周囲が左右の側面２３ａ及び２３ｂ、前後の側面２４ａ及び２４ｂにより囲まれている。これに対して、分離した内箱片１１ａでは、図５（Ａ）に示すように、後の側面が欠落する。しかしながら、内箱片１１ａをその切断された側から外箱１２の切欠３５内に矢印Dのように挿入すると、図５（Ｃ）に示すように、外箱１２の側面３１ｂが内箱片１１ａの後側の側面の代わりとなる。よって、内箱１１の周囲は全て壁で仕切られることになり、整頓した状態で商品１３を陳列できる。
【００３４】
第２実施形態．
図６は、本考案の第２実施形態を示すものである。前述の第１実施形態では、内箱分離用の切断線２５は、内箱１１を長手方向に２分割するように、長手方向の中間に設けられている。これに対して、この実施形態では、内箱１１を長手方向に４分割するように、３本の内箱分離用の切断線２５ａ、２５ｂ、２５ｃが設けられる。このように、３本の内箱分離用の切断線２５ａ、２５ｂ、２５ｃを設けると、内箱１１を４分割することができ、商品１３の減少量に合わせて、内箱１１の大きさを４段階に調整することができる。なお、内箱分離用の切断線の数及び間隔は、これに限定されるものではない。内箱分離用の切断線は、内箱１１を長手方向にＮ分割（Ｎは整数）した位置に、（Ｎ−１）本設けることができる。他の構成については、前述の第１実施形態と同様であり、その説明を省略する。
【００３５】
第３実施形態．
図７は、本考案の第３実施形態を示すものである。前述の第１及び第２実施形態では、外箱１２の前側に前側面３３を形成するとともに、外箱１２の上側面に切欠３５を形成するようにしている。これに対して、この第３実施形態では、図７（Ａ）に示すように、外箱１２の前側に開口３６を形成するとともに、この開口３６と連通して、外箱１２の上面３１ａの前側に切欠３５が形成される。この第３実施形態では、商品１３は、開口３６及び切欠３５がある面から見えるように内箱１１に配列される。図７（Ｂ）は商品を並べた内箱１１を外箱１２に挿入したときの図である。図７（Ｂ）に示すように、搬送時に、開口３６及び切欠３５を介して、商品収納陳列箱１に収納されている商品を視認することができる。この実施の形態においては、開口３６及び切欠３５から商品１３が落下しないように、搬送時には、商品収納陳列箱１全体が透明ビニール等でパックされる。他の構成については、前述の第１実施形態と同様であり、その説明を省略する。
【００３６】
本考案は、上述した実施形態に限定されるものではなく、この考案の要旨を逸脱しない範囲内で様々な変形や応用が可能である。
【産業上の利用可能性】
【００３７】
本考案は、キーホルダーや携帯電話ストラップ、ガムやキャンディ等の小物の商品まとめて収納して納品搬送し、小売店で陳列して販売するための商品収納陳列箱として用いることができる。
【図面の簡単な説明】
【００３８】
【図１】本考案の第１実施形態の商品収納陳列箱の分解斜視図である。
【図２】本考案の第１実施形態の商品収納陳列箱の納品搬送時の説明に用いる斜視図である。
【図３】本考案の第１実施形態の商品収納陳列箱の陳列時の組み立ての説明に用いる斜視図である。
【図４】本考案の第１実施形態の商品収納陳列箱での商品陳列の説明に用いる斜視図である。
【図５】本考案の第１実施形態において商品が減少した場合の商品陳列の説明に用いる斜視図である。
【図６】本考案の第２実施形態の商品収納陳列箱の分解斜視図である。
【図７】本考案の第３実施形態の商品収納陳列箱の分解斜視図である。
【符号の説明】
【００３９】
１  商品収納陳列箱
１１  内箱
１１ａ、１１ｂ  内箱片
１２  外箱
１２ａ、１２ｂ 外箱片
１３  商品
２２  長方形の底面
２３ａ  内箱の左側面
２３ｂ  内箱の右側面
２４ａ  前の側面
２４ｂ  後の側面
２５、２５ａ、２５ｂ、２５ｃ  内箱分離用の切断線
３１ａ  上側面
３１ｂ  外箱の下側面
３２ａ  外箱の左側面
３２ｂ  右側面
３３  前側面
３４  開口
３５  切欠
３６  開口
３７  印字部
３８  外箱分離用の切断線
３９  切断線
【図１】
0003124844.tif 000003
【図２】
0003124844.tif 000004
【図３】
0003124844.tif 000005
【図４】
0003124844.tif 000006
【図５】
0003124844.tif 000007
【図６】
0003124844.tif 000008
【図７】
0003124844.tif 000009